(57)【要約】【課題】ＣＯ２センサによって室内の酸欠防止を行う暖房機を提供する。【解決手段】室内の空気を吸い込み室内へ排気を行うバーナを備えた暖房機に於いて、前記バーナの運転を制御する制御装置３と、筐体内又は筐体表面に室内空気のＣＯ２ガスの濃度を検知するＣＯ２センサユニット２５を設け、このＣＯ２センサユニット２５で検知するＣＯ２ガスの濃度が所定値以下の場合に、前記制御装置３にてバーナの運転を停止する安全手段３０を備えたものである。【選択図】図２
2006300424.tif 000002
【特許請求の範囲】
【請求項１】
室内の空気を吸い込み室内へ排気を行うバーナを備えた暖房機に於いて、前記バーナの運転を制御する制御装置と、筐体内又は筐体表面に室内空気のＣＯ２ガスの濃度を検知するＣＯ２センサユニットを設け、このＣＯ２センサユニットで検知するＣＯ２ガスの濃度が所定値以下の場合に、前記制御装置にてバーナの運転を停止する安全手段を備えた事を特徴とする暖房機。
【請求項２】
前記安全手段はＣＯ２センサユニット脱落時や故障時には前記制御装置にてバーナの運転を停止する請求項１記載の暖房機。
【発明の詳細な説明】
【技術分野】
【０００１】
この発明は灯油を燃料とし、室内の空気を吸い込み室内へ排気を行う暖房機に関するものである。
【背景技術】
【０００２】
従来よりこの種の暖房機では、ＣＯ検出装置、室温検知装置、マイコン制御装置の電源として電池を設け、対震消火装置のセット状態を検知するセットスイッチと、対震消火装置に作用するソレノイドとを、対震消火装置に付設し、マイコン制御装置には、ＣＯ警報発生手段と、温度警報発手段と、ソレノイド駆動出力信号をパルス的に発生させるソレノイド駆動信号出力手段とを機能させ、対震消火装置にＣＯ検出装置を付加して、室内の酸欠状態をＣＯ検出装置が一定値以上のＣＯ濃度（一酸化酸素濃度）を検出することにより対震消火装置を作動させて、石油ストーブの燃焼を消火するものが開示されている。（例えば、特許文献１参照）
【特許文献１】特開２００２−２２１６６号公報
【発明の開示】
【発明が解決しようとする課題】
【０００３】
しかし、この従来のものでは、ＣＯ濃度を測定するセンサは非常に高価であるために販売価格の極端な上昇につながり、原価低減の必要にせまられている問題があった。
また、地球温暖化防止対策のためにＣＯ２（二酸化炭素）の排出量を減らす試みが世界的に行われる様になり、ＣＯ２の排出量の少ない家庭用の燃焼器具にもその影響が及んでいる。
【課題を解決するための手段】
【０００４】
そこで、本発明は上記課題を解決するため、室内の空気を吸い込み室内へ排気を行うバーナを備えた暖房機に於いて、前記バーナの運転を制御する制御装置と、筐体内又は筐体表面に室内空気のＣＯ２ガスの濃度を検知するＣＯ２センサユニットを設け、このＣＯ２センサユニットで検知するＣＯ２ガスの濃度が所定値以下の場合に、前記制御装置にてバーナの運転を停止する安全手段を備えたものである。
【０００５】
また、前記安全手段はＣＯ２センサユニット脱落時や故障時には前記制御装置にてバーナの運転を停止するようにしたものである。
【発明の効果】
【０００６】
以上のように、本発明によれば、暖房機による酸欠事故対策を確実にすることができると共に、製造原価を低減し安価で安全な暖房機を提供できるものである。
また、一般家庭で広く使用されている暖房機の運転停止をＣＯ２ガスの濃度によって行うことで、地球温暖化防止対策への啓蒙を行うことができるものである。
【発明を実施するための最良の形態】
【０００７】
次に、本発明の一実施形態を図面に基づいて説明する。
【実施例１】
【０００８】
１は屋内に設置されるファンヒータ本体で、本体１内部に燃焼を行うバーナ２と、このファンヒータの作動を制御するマイコンを主体として構成された制御装置３と、本体１背面開口部の対流用送風機４と、本体１前面の温風吹出口５と、本体１前面側上部の操作部６とを備えているもので、バーナ２での燃焼排気ガスを対流用送風機４により温風吹出口５から室内に吹き出すことで暖房を行うものである。
【０００９】
前記バーナ２は、複数の炎孔を有したバーナヘッド７の下部に気化ヒータ８を有した気化器９を備えて構成され、気化ヒータ８によって加熱された気化器９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化器９の上端に複数の炎孔に対向する如く備えた環状の熱回収リング１５によって炎から熱回収を行い気化ヒータ８の通電を低減しているもので、ターンダウン比が広く静かな気化燃焼を行うものである。
【００１０】
前記操作部６には、運転の開始／停止を指令するための運転スイッチ１６と、室温上昇スイッチ１７と室温下降スイッチ１８とにより構成され所望の室温を設定する室温設定手段１９と、タイマースイッチや予熱待機スイッチなどの各種の操作スイッチと、時刻や設定室温を表示する表示部２０が設けられている。
【００１１】
２１は前記気化ヒータ８で加熱される気化器９の温度を検知する気化温度センサで、前記制御装置３はこの気化温度センサ２１の検知温度が所定の上限温度になると前記気化ヒータ８をオフし、また所定の下限温度になると前記気化ヒータ８をオンして気化器９の温度を液体燃料を良好に気化できる温度範囲内に保持する。
【００１２】
また、前記制御装置３は、運転スイッチ１６の運転指令により、前記気化温度センサ２１の検知温度を監視して前記気化器９を液体燃料を気化可能な温度まで気化ヒータ８により加熱し、気化器９の温度を燃焼に適する温度まで上昇させると前記電磁ポンプ１１及び燃焼用送風機１３を駆動開始し、点火装置２２により混合ガスに点火して燃焼を開始させて、器具本体１背面の対流用送風機４の近傍に設けられた室温センサ２３の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１３】
この燃焼火力の可変制御は、燃焼用送風機１３の駆動周波数及び電磁ポンプ１１の駆動周波数を一組として予め複数段階に細分化されて火力として設定しており、検知室温と設定室温の偏差及び室温の変化勾配に応じて細分化された火力を選択することによって行われる。
【００１４】
また、前記制御装置３は、タイマー部２４を有し、運転スイッチ１６の運転停止指令を受けると、前記対流用送風機４と気化ヒータ８と電磁ポンプ１１と燃焼用送風機１３とを前記タイマー部２４のカウントに応じて適宜消火制御して、臭い及び煙のない快適な消火を実現するものである。
【００１５】
２５はＣＯ２センサユニットで回路基板の表面に二酸化炭素の濃度を検知するＣＯ２センサ２６と、このセンサ２６からの電圧を受けるスイッチングトランジスタ２７と、５ボルトの電源２８と、抵抗２９等を備え、この抵抗２９とトランジスタ２７の間を制御装置３に接続し制御装置３へ信号を送るものであり、本体１内の空間または本体１表面に取り付けられる。
３０は前記制御装置３内に設けられた安全手段で、前記ＣＯ２センサユニット２５からの信号を判断してバーナ２の停止を行うものである。
【００１６】
ＣＯ２センサ２６の作動について説明すれば、正常運転時で二酸化炭素の濃度が所定値（１％）より低い場合には、スイッチングトランジスタ２７がＯＮし、前記制御装置３に備えたマイクロコンピュータへＬｏの信号を送り続けることでバーナ２は正常に運転を行えるものであり、一方ＣＯ２センサ２６の周囲の二酸化炭素の濃度が所定値（１％）を越えた場合には、スイッチングトランジスタ２７はＯＦＦし、前記制御装置３に備えたマイクロコンピュータへＨｉの信号を送って安全手段３０にてバーナ２の運転を停止することで、酸欠事故対策を確実にすることができるものである。
【００１７】
また、前記ＣＯ２センサユニット２５が何らかの原因により脱落したり、ＣＯ２センサ２６が故障した場合にも、制御装置３へはＨｉの信号をが送られ安全手段３０にてバーナ２の停止を行うことでより安全な暖房機を提供できるものである。
【００１８】
次にこの暖房器の燃焼動作について説明する。
まず、操作部６に設けられた運転スイッチ１６を押すと運転動作に入り、バーナ２の気化ヒータ８に通電して温度を上昇させ、バーナ２に備えた気化温度センサ２１の温度が予め設定している温度まで上昇すると、電磁ポンプ１１より燃油がバーナ２へ供給されると共に、燃焼用送風機１３より燃焼用空気がバーナ２へ供給され、それによりバーナ２内で燃油と燃焼用空気とが予混合されて混合気となり、バーナ２の上部に位置バーナヘッド７の炎孔部（図示せず）から吹き出すその混合気を着火して燃焼が開始される。
【００１９】
燃焼が開始されると同時に対流用送風機４が動作し、この対流用送風機４による送風空気が背面から吸い込まれバーナ２よりの熱風と混合され温風吹出口５より温風として吹き出すものである。
【００２０】
このように、暖房機による酸欠事故対策を確実にすることができると共に、製造原価を低減し安価で安全な暖房機を提供できるものである。
また、一般家庭で広く使用されている暖房機の運転停止をＣＯ２ガスの濃度によって行うことで、地球温暖化防止対策のためにＣＯ２（二酸化炭素）の排出量を減らす試みが世界的に行われる世論に対して、地球温暖化防止対策への姿勢を表すことができ、地球温暖化防止の啓蒙を行うことができるものである。
【図面の簡単な説明】
【００２１】
【図１】この発明の一実施例を付した暖房機を示す概略構成図。
【図２】同制御回路のブロック図。
【符号の説明】
【００２２】
２  バーナ
３  制御装置
２５  ＣＯ２センサユニット
２６  ＣＯ２センサ
３０  安全手段
【図１】
2006300424.tif 000003
【図２】
2006300424.tif 000004